(57)【要約】【課題】  画像送信装置から画像受信装置に送信する画像ファイルをユーザがきれいな画像を見ながら選択する。【解決手段】    画像送信装置は、記憶されている画像ファイルを再生し、画像データを生成し、生成した画像データを、第１通信ラインを介して画像受信装置に送信する。画像受信装置は、第１通信ラインを介して画像送信装置から画像データを受信し、画像を表示部に表示させる。画像受信装置は、表示部に表示された画像の中から、画像受信装置に送信すべき画像をユーザ操作に応じて選択し、選択された画像の画像ファイルを送信する指示を画像送信装置に送信する。画像送信装置は、画像受信装置から、選択された画像の画像ファイルを送信する指示を受信した場合に、選択された画像の画像ファイルを、第２通信ラインを介して画像受信装置に送信する。画像受信装置は、選択された画像の画像ファイルを、第２通信ラインを介して前記画像送信装置から受信する。【選択図】図４
2013068996.tif 000002
【特許請求の範囲】
【請求項１】
画像送信装置と、前記画像送信装置と第１通信ライン及び第２通信ラインを介して接続可能な画像受信装置とを備え、
前記画像送信装置が、
画像ファイルを記憶するための第１記憶手段と、
前記第１記憶手段に記憶されている画像ファイルを再生し、画像データを生成する再生手段と、
前記再生手段によって再生された画像データを、前記第１通信ラインを介して前記画像受信装置に送信する画像データ送信手段と、
前記画像受信装置から、選択された画像の画像ファイルを送信する指示を受信した場合に、選択された画像の画像ファイルを、前記第２通信ラインを介して前記画像受信装置に送信する画像ファイル送信手段とを有し、
前記画像受信装置が、
前記第１通信ラインを介して前記画像送信装置から画像データを受信する画像データ受信手段と、
前記画像データ受信手段によって受信された画像データに基づいて、画像を表示部に表示させる表示手段と、
前記表示部に表示された画像の中から、前記画像受信装置に送信すべき画像をユーザ操作に応じて選択し、選択された画像の画像ファイルを送信する指示を前記画像送信装置に送信する指示手段と、
選択された画像の画像ファイルを、前記第２通信ラインを介して前記画像送信装置から受信する画像ファイル受信手段と、
前記画像ファイル受信手段によって受信された画像ファイルを記憶するための第２記憶手段とを有する、画像ファイル転送システム。
【請求項２】
請求項１に記載の画像ファイル転送システムにおける前記画像送信装置であって、
画像ファイルを記憶するための第１記憶手段と、
前記第１記憶手段に記憶されている画像ファイルを再生し、画像データを生成する再生手段と、
前記再生手段によって再生された画像データを、前記第１通信ラインを介して前記画像受信装置に送信する画像データ送信手段と、
前記画像受信装置から、選択された画像の画像ファイルを送信する指示を受信した場合に、選択された画像の画像ファイルを、前記第２通信ラインを介して前記画像受信装置に送信する画像ファイル送信手段とを有する、画像送信装置。
【請求項３】
請求項１に記載の画像ファイル転送システムにおける前記画像受信装置であって、
前記第１通信ラインを介して前記画像送信装置から画像データを受信する画像データ受信手段と、
前記画像データ受信手段によって受信された画像データに基づいて、画像を表示部に表示させる表示手段と、
前記表示部に表示された画像の中から、前記画像受信装置に送信すべき画像をユーザ操作に応じて選択し、選択された画像の画像ファイルを送信する指示を前記画像送信装置に送信する指示手段と、
選択された画像の画像ファイルを、前記第２通信ラインを介して前記画像送信装置から受信する画像ファイル受信手段と、
前記画像ファイル受信手段によって受信された画像ファイルを記憶するための第２記憶手段とを有する、画像受信装置。
【発明の詳細な説明】
【技術分野】
【０００１】
本発明は、画像ファイル転送システムに関する。
【背景技術】
【０００２】
デジタルカメラで撮影した画像ファイルをＵＳＢ経由でデジタルフォトフレーム（以下、単にフォトフレームという。）に転送し、フォトフレームに挿入されたメモリ（又はフォトフレームに内蔵されたメモリ）に画像ファイルを保存し、フォトフレームにおいて画像ファイルを再生して画像を表示するシステムが利用されている。
【０００３】
デジタルカメラが保有する多数の画像ファイルの中から、フォトフレームに転送して保存する画像ファイルをユーザ操作によって選択する際に、デジタルカメラに設けられている小型の液晶ディプレイに画像を表示し、ユーザ操作によって選択するようになっている。しかし、デジタルカメラに設けられている液晶ディスプレイでは画像を高画質で表示することが困難であるので、画像ファイルの選別が困難である。例えば、類似の画像ファイルが多数存在する場合に、ユーザが目で見て最もきれいに撮影されている画像ファイルを選択するような場合に、最適な画像ファイルを選択することが困難である。また、デジタルカメラが保有する全画像ファイルをフォトフレームに転送して記録すると、フォトフレームのメモリ容量が不足するという問題がある。
【先行技術文献】
【特許文献】
【０００４】
【特許文献１】特開２０１１−１５１７０８号公報
【発明の概要】
【発明が解決しようとする課題】
【０００５】
本発明は上記従来の課題を解決するためになされたものであり、その目的は、画像送信装置から画像受信装置に送信する画像ファイルをユーザがきれいな画像を見ながら選択することができる画像ファイル転送システムを提供することである。
【課題を解決するための手段】
【０００６】
本発明の好ましい実施形態による画像ファイル転送システムは、画像送信装置と、前記画像送信装置と第１通信ライン及び第２通信ラインを介して接続可能な画像受信装置とを備え、前記画像送信装置が、画像ファイルを記憶するための第１記憶手段と、前記第１記憶手段に記憶されている画像ファイルを再生し、画像データを生成する再生手段と、前記再生手段によって再生された画像データを、前記第１通信ラインを介して前記画像受信装置に送信する画像データ送信手段と、前記画像受信装置から、選択された画像の画像ファイルを送信する指示を受信した場合に、選択された画像の画像ファイルを、前記第２通信ラインを介して前記画像受信装置に送信する画像ファイル送信手段とを有し、前記画像受信装置が、前記第１通信ラインを介して前記画像送信装置から画像データを受信する画像データ受信手段と、前記画像データ受信手段によって受信された画像データに基づいて、画像を表示部に表示させる表示手段と、前記表示部に表示された画像の中から、前記画像受信装置に送信すべき画像をユーザ操作に応じて選択し、選択された画像の画像ファイルを送信する指示を前記画像送信装置に送信する指示手段と、選択された画像の画像ファイルを、前記第２通信ラインを介して前記画像送信装置から受信する画像ファイル受信手段と、前記画像ファイル受信手段によって受信された画像ファイルを記憶するための第２記憶手段とを有する。
【０００７】
本実施形態によると、画像送信装置は、第１記憶手段に記憶されている画像ファイルを再生し、画像データを生成し、生成した画像データを、第１通信ラインを介して画像受信装置に送信する。画像受信装置は、第１通信ラインを介して画像送信装置から画像データを受信し、画像を表示部に表示させる。画像受信装置は、表示部に表示された画像の中から、画像受信装置に送信すべき画像をユーザ操作に応じて選択し、選択された画像の画像ファイルを送信する指示を画像送信装置に送信する。画像送信装置は、画像受信装置から、選択された画像の画像ファイルを送信する指示を受信した場合に、選択された画像の画像ファイルを、第２通信ラインを介して画像受信装置に送信する。画像受信装置は、選択された画像の画像ファイルを、第２通信ラインを介して画像送信装置から受信する。
【発明の効果】
【０００８】
本発明によると、以上の構成を有することによって、画像送信装置から画像受信装置に送信する画像ファイルをユーザがきれいな画像を見ながら選択することができる画像ファイル転送システムを提供することができる。また、画像送信装置が画像ファイルを再生して、画像データを画像受信装置に送信するので、送信する画像ファイルを選択するために画像ファイル自体を画像受信装置に送信する必要がない。従って、画像受信装置の第２記憶手段の容量を削減することができる。
【図面の簡単な説明】
【０００９】
【図１】画像ファイル転送システムの構成を示すブロック図である。
【図２】フラグ管理テーブルを示す図である。
【図３】画像選択画面を示す図である。
【図４】フォトフレーム２０の処理を示すフローチャートである。
【図５】デジタルカメラ１０の処理を示すフローチャートである。
【図６】画像選択画面を示す図である。
【図７】フォトフレーム２０の処理を示すフローチャートである。
【図８】デジタルカメラ１０の処理を示すフローチャートである。
【発明を実施するための形態】
【００１０】
以下、本発明の好ましい実施形態について、図面を参照して具体的に説明するが、本発明はこれらの実施形態には限定されない。図１は、本発明の好ましい実施形態による画像ファイル転送システムを示す概略ブロック図である。画像ファイル転送システムは、画像送信装置（本例ではデジタルカメラ）１０と、画像受信装置（本例ではフォトフレーム）２０とを備える。
【００１１】
デジタルカメラ１０と、フォトフレーム２０とは、ＨＤＭＩケーブル及びＵＳＢケーブルを介して相互に接続されている。ＨＤＭＩケーブルは、画像データ及び制御データを送受信するための第１通信ラインである。ＵＳＢケーブルは、画像ファイルを送受信するための第２通信ラインである。なお、第１通信ラインは、画像データを送受信するケーブルと、制御信号を送受信するケーブルとが別個に設けられていてもよい。画像ファイルは、任意の適切なフォーマット（例えばＪＰＥＧ等）で画像データを圧縮したデータである。デジタルカメラ１０及びフォトフレーム２０は、画像ファイルの形式で画像を保存する。そして、デジタルカメラ１０及びフォトフレーム２０は、画像を表示する際に、画像ファイルを伸張し、画像ファイルから画像データを生成する。
【００１２】
画像ファイル転送システムによると、デジタルカメラ１０は、画像ファイルを再生し画像データを、ＨＤＭＩケーブルを介してフォトフレーム２０に送信する。フォトフレーム２０は、ＨＤＭＩケーブルを介して画像データを受信し、画像データを含む画像選択画面を表示部に表示する。表示された画像の中から、ユーザ操作によって、デジタルカメラ１０から転送されフォトフレーム２０に保存すべき画像ファイルが選択される。デジタルカメラ１０は、選択された画像ファイルをＵＳＢ経由でフォトフレーム２０に送信する。フォトフレーム２０は、ＵＳＢ経由で受信した画像ファイルをメモリに保存する。
【００１３】
デジタルカメラ１０は、制御部１１と、メモリ（ＲＯＭ、ＲＡＭ、フラッシュメモリ等）１２と、撮影部１３と、メモリスロット１４と、再生部１５と、ＨＤＭＩ送信部１６と、表示部１７と、操作部１８と、ＨＤＭＩ出力端子１９ａと、ＵＳＢ端子１９ｂとを概略備える。
【００１４】
制御部１１は、メモリ１２に格納されているデジタルカメラの動作プログラムを実行することによって、デジタルカメラ１０の各部を制御するものであり、マイコンやＣＰＵ等である。すなわち、制御部１１は、後述するフローチャートの動作を実行する。
【００１５】
メモリ１２（フラッシュメモリ）には、撮影部１３によって撮影された画像データが圧縮された画像ファイルが保存される。メモリ１２（ＲＡＭ）には、図２に示すフラグ管理テーブルが生成される。フラグ管理テーブルは、メモリ１２および／または外部メモリに保存されている画像ファイルの各々に関して、フォトフレームに転送するかどうかを決定する情報（コピー対象フラグ）を管理するテーブルである。図２において、コピー対象フラグが「ＯＮ」に設定されている画像ファイルのみがフォトフレームに転送されることを意味している。また、フラグ管理テーブルは、メモリ１２および／または外部メモリに保存されている画像ファイルの各々に関して、既にフォトフレームに画像ファイルを転送済みであるかどうかを示す情報（コピー済みフラグ）を管理するテーブルである。図２において、コピー済みフラグが「ＯＫ」に設定されている画像ファイルは既にフォトフレームに転送済みである。
【００１６】
撮影部１３は、デジタルカメラ１０のカメラとして機能を実現する部分であり、被写体を撮影するためのレンズ、シャッター、フラッシュ、センサ、画像圧縮部等を含む。メモリスロット１４は、外部メモリ（フラッシュメモリ、ＳＤメモリカード等）を挿入するためのスロットである。
【００１７】
再生部１５は、メモリ１２又は外部メモリに保存されている画像ファイルを再生（伸張）し、画像データを生成する。再生部１５は、再生した画像データを表示部１７に表示させる、又は、ＨＤＭＩ送信部１６に供給する。
【００１８】
ＨＤＭＩ送信部１６は、再生部１５から供給された画像データをＨＤＭＩデータに変換し、変換したＨＤＭＩデータをＨＤＭＩ出力端子１９ａを介してフォトフレーム２０に供給する。表示部１７は、再生部１５から供給された画像データを表示するものであり、液晶ディスプレイ等である。表示部１７は、一般的に、後述するフォトフレーム２０の表示部２５よりもサイズが小さく、対応する解像度は低解像度である。操作部１８は、ユーザ操作を受け付けるものであり、デジタルカメラの筐体に設けられた操作ボタンやタッチパネル等である。
【００１９】
ＨＤＭＩ出力端子１９ａは、フォトフレーム２０のＨＤＭＩ入力端子２７ａとＨＤＭＩケーブルを介して接続可能であり、ＨＤＭＩデータ（画像データ）を出力する。ＨＤＭＩには、ＨＤＭＩデータを送受信するためのＴＭＤＳラインおよび制御信号を送受信するためのＣＥＣライン等が存在する。ＵＳＢ端子１９ｂは、フォトフレーム２０のＵＳＢ端子２７ｂとＵＳＢ経由で接続可能であり、画像ファイルを転送する。
【００２０】
フォトフレーム２０は、制御部２１と、メモリ（ＲＯＭ、ＲＡＭ、フラッシュメモリ等）２２と、メモリスロット２３と、ＨＤＭＩ受信部２４と、表示部２５と、操作部２６と、ＨＤＭＩ入力端子２７ａと、ＵＳＢ端子２７ｂとを概略備える。
【００２１】
制御部２１は、メモリ２２に格納されているフォトフレームの動作プログラムを実行することによって、フォトフレーム２０の各部を制御するものであり、マイコンやＣＰＵ等である。すなわち、制御部１１は、後述するフローチャートの動作を実行する。
【００２２】
メモリ２２（フラッシュメモリ）には、デジタルカメラから転送された画像ファイルが保存される。メモリスロット２３は、外部メモリ（フラッシュメモリ、ＳＤメモリカード等）を挿入するためのスロットである。外部メモリにはデジタルカメラから転送された画像ファイルが保存される。
【００２３】
ＨＤＭＩ受信部２４は、ＨＤＭＩ入力端子２７ａを介してデジタルカメラから供給されるＨＤＭＩデータを受信し、ＨＤＭＩデータを元の（ＨＤＭＩ変換前の）画像データに変換し、画像データを表示部２５に供給する。
【００２４】
表示部２５は、ＨＤＭＩ受信部２４から供給される画像データを含む画像選択画面を表示するものであり、液晶ディスプレイ等である。上記の通り、表示部２７は、一般的に、デジタルカメラ１０の表示部１７よりもサイズが大きく、対応する解像度は高解像度である。図３は、表示部２５に表示される画像選択画面を示す図である。図３に示すように、一実施例による画像選択画面は、デジタルカメラ１０からＨＤＭＩ経由で受信した画像データに基づく画像３１と、ボタン３２〜３５とを含む。
【００２５】
ボタン３２は、画像選択画面に表示する画像を前の画像へ戻すためのボタンである。ボタン３３は、画像選択画面に表示する画像を次の画像に進めるためのボタンである。ボタン３４は、現在表示されている画像の画像ファイルを、デジタルカメラ１０に転送させるために選択するためのボタンである。ボタン３５は、選択を終了し、これまでに選択した画像ファイルをデジタルカメラ１０に転送させるためのボタンである。
【００２６】
図１に戻って、操作部２６は、ユーザ操作を受け付けるものであり、フォトフレーム２０の筐体に設けられた操作ボタン又はリモコン送受信機等である。ＨＤＭＩ入力端子２７ａは、ＨＤＭＩケーブルを介してデジタルカメラ１０のＨＤＭＩ出力端子１９ａに接続可能であり、ＨＤＭＩデータが入力される。ＵＳＢ端子２７ｂは、ＵＳＢケーブルを介してデジタルカメラ１０のＵＳＢ端子１９ｂに接続可能である。
【００２７】
図４は、フォトフレーム２０の制御部２１の処理を示すフローチャートである。図５は、デジタルカメラ１１の制御部１１の処理を示すフローチャートである。図４に示すように、フォトフレーム２０の制御部２１は、ユーザ操作によって画像選択画面の表示指示が入力されたか否かを判断する（Ｓ１０１）。入力された場合（Ｓ１０１でＹＥＳ）、制御部２１は、入力セレクタとしてＨＤＭＩ入力端子２７ａを選択する（Ｓ１０２）。なお、ＨＤＭＩ入力端子２７ａとＵＳＢ端子２７ｂとの両方を同時に使用できる場合、ＨＤＭＩ入力端子２７ａとＵＳＢ端子２７ｂとの両方を有効にしておくとよい。続いて、制御部２１は、画像データをＨＤＭＩ経由で送信するように、ＣＥＣラインを介してデジタルカメラ１０に要求を送信する（Ｓ１０３）。
【００２８】
図５に示すようにデジタルカメラ１０の制御部１１は、最初に出力セレクタとしてＨＤＭＩ出力端子を選択する（Ｓ２０１）。なお、ＨＤＭＩ出力端子１９ａとＵＳＢ端子１９ｂとの両方を同時に使用できる場合、ＨＤＭＩ出力端子１９ａとＵＳＢ端子１９ｂとの両方を有効にしておくとよい。制御部１１は、ＣＥＣラインを介して、画像データの送信要求を受信したか否かを判断する（Ｓ２０２）。受信した場合、制御部１１は、メモリ１２及び／又は外部メモリに記憶されている複数の画像ファイルの中から（例えばファイル名の昇順に）画像ファイルを１つ選択する。なお、このときに図２のフラグ管理テーブルにおいてコピー済みフラグが「ＯＫ」に設定されている画像ファイルは選択されないようにする。制御部１１は、選択した画像ファイルを再生部１５に再生させ、ＨＤＭＩ送信部１６にＨＤＭＩデータに変換させ、ＨＤＭＩ出力端子１９ａからＨＤＭＩデータを出力させる（Ｓ２０３）。
【００２９】
図４に示すように、フォトフレーム２０の制御部２１は、ＨＤＭＩデータを受信すると、受信したＨＤＭＩデータから変換された画像データを使用して、図３に示す画像選択画面を生成し、表示部２５に表示させる（Ｓ１０４）。
【００３０】
ユーザは、図３の画像選択画面に表示された画像を見て、この画像の画像ファイルをデジタルカメラから受信してフォトフレーム２０のメモリに保存するかを検討する。フォトフレーム２０への保存を希望する場合には、操作部２６を操作して画像選択画面のボタン３４を操作する。
【００３１】
制御部２１は、ユーザ操作によって、画像選択画面に画像が表示されている画像ファイルを、フォトフレームに転送して保存するよう選択されたか否かを判断する（Ｓ１０５）。選択された場合（Ｓ１０５でＹＥＳ）、つまり、ボタン３４が操作された場合、制御部２１は、画像選択画面に表示されている画像の画像ファイルを転送するように選択する指示（コピー対象フラグ）をＣＥＣラインを経由して、デジタルカメラ１０の制御部１１に送信する（Ｓ１０６）。一方、選択されない場合（Ｓ１０５でＮＯ）、つまり、ボタン３４が操作されない場合、処理は、Ｓ１０７に進む。
【００３２】
図５に示すように、デジタルカメラ１０の制御部１１は、ＣＥＣラインを介して、画像選択画面に表示されている画像の画像ファイルを転送するように選択する指示（コピー対象フラグ）を受信したか否かを判断する（Ｓ２０４）。受信した場合（Ｓ２０４でＹＥＳ）、制御部１１は、現在再生し、ＨＤＭＩデータとして出力している画像ファイルに関して、図２のフラグ管理テーブルにおいてコピー対象フラグを「ＯＮ」に設定する（Ｓ２０５）。例えば、画像１を再生している場合には、画像１のコピー対象フラグが「ＯＮ」に設定される。一方、受信しない場合（２０４でＮＯ）、処理はＳ２０６に進む。
【００３３】
ユーザは、画像選択画面に表示する画像を次の画像に切換える場合、ボタン３３を操作する。同様に、画像選択画面に表示する画像を前の画像に切換える場合、ボタン３２を操作する。図４に示すように、フォトフレーム２０の制御部２１は、ユーザ操作によって、画像選択画面に表示されている画像を次の（又は前の、以下同様。）画像に切換える指示が入力されたか否かを判断する（Ｓ１０７）。入力されない場合（Ｓ１０７でＮＯ）、つまり、ボタン３３が操作されない場合、処理はＳ１０９に進む。一方、入力された場合（Ｓ１０７でＹＥＳ）、つまりボタン３３が操作された場合、制御部２１は、ＨＤＭＩデータに変換して送信する画像ファイルを次の画像ファイルに切換える指示を、ＣＥＣラインを介してデジタルカメラ１０の制御部１１に送信する（Ｓ１０８）。
【００３４】
図５に示すように、デジタルカメラ１０の制御部１１は、ＣＥＣラインを介して、ＨＤＭＩデータに変換して送信する画像ファイルを次の画像ファイルに切換える指示を受信したか否かを判断する（Ｓ２０６）。受信しない場合（Ｓ２０６でＮＯ）、処理はＳ２０８に進む。一方、受信した場合（Ｓ２０６でＹＥＳ）、制御部１１は、現在再生し、ＨＤＭＩデータに変換して出力している画像ファイルの次の画像ファイルを選択し（Ｓ２０７）、画像データをＨＤＭＩデータに変換して出力する（Ｓ２０３）。例えば、図２のフラグ管理テーブルに示すように、現在、画像１を再生している場合、次の画像である画像２を選択する。図４に示すように、フォトフレーム２０の制御部２１は、ＨＤＭＩデータを受信すると、受信したＨＤＭＩデータから変換された画像データを使用して、図２に示す画像選択画面を生成し、表示部２５に表示させる（Ｓ１０４）。その結果、図３に示す画像選択画面に表示される画像が次の画像に変更される。
【００３５】
ユーザは、フォトフレーム２０に転送し保存する画像ファイルの選択が終了した場合、図３の画像選択画面において、ボタン３５を操作する。図４に示すように、フォトフレーム２０の制御部２１は、ユーザ操作によって、画像転送指示が入力されたか否か、つまり、ボタン３５が操作されたか否かを判断する（Ｓ１０９）。入力されない場合（Ｓ１０９でＮＯ）、つまりボタン３５が操作されない場合、処理はＳ１０５に戻る。入力された場合（Ｓ１０９でＹＥＳ）、つまりボタン３５が操作された場合、制御部２１は、画像転送指示をＣＥＣラインを介して、デジタルカメラ１０の制御部１１に送信する（Ｓ１１０）。そして、制御部２１は、ＵＳＢ経由で選択した画像ファイルを受信するために、入力セレクタをＵＳＢに切換える（Ｓ１１１）。
【００３６】
図５に示すように、デジタルカメラ１０の制御部１１は、ＣＥＣラインを介して、画像転送指示を受信したか否かを判断する（Ｓ２０８）。受信しない場合（Ｓ２０８でＮＯ）、処理はＳ２０４に戻る。一方、受信した場合（Ｓ２０８でＹＥＳ）、制御部１１は、ＵＳＢ経由で画像ファイルを送信するために出力セレクタとしてＵＳＢを選択する（Ｓ２０９）。制御部１１は、図２のフラグ管理テーブルを参照してコピー対象フラグを「ＯＮ」に設定されている全ての画像ファイルを選択する。そして、制御部１１は、選択した全ての画像ファイルをメモリ１２及び／又は外部メモリから読み出して、ＵＳＢ経由でフォトフレーム２０に転送する（Ｓ２１０）。その後、制御部１１は、コピー対象フラグをリセットし（Ｓ２１１）、転送した画像ファイルについてコピー済みフラグを「ＯＫ」に設定する（Ｓ２１２）。そして、制御部１１は、コピー済みフラグが「ＯＫ」に設定されている画像ファイルがフォトフレームに転送して記録済みである旨を表示部に表示させ、ユーザに告知する。
【００３７】
図４に示すように、フォトフレーム２０の制御部２１は、ＵＳＢ経由で画像ファイルを受信し、受信した画像ファイルをメモリ２２及び／又は外部メモリに保存する（Ｓ１１２）。以上のように本実施形態によると、デジタルカメラ１０よりも品質の高い表示部を備えるフォトフレーム２０に画像を表示して、転送すべき画像ファイルをユーザが選択することができる。また、ユーザが画像ファイルを選択するために、全ての画像ファイル自体をフォトフレーム２０に転送する必要がなく、ＨＤＭＩ経由で画像データを送信しているだけであるので、フォトフレーム２０のメモリ容量が不足するという問題も生じない。
【００３８】
次に、本発明の別の好ましい実施形態を説明する、本実施形態では、図６に示すように画像選択画面は複数の画像（この例では４つの画像）を一度に表示することができる。なお、一度に表示する画像の数はユーザ操作によって変更可能である。
【００３９】
図７は、フォトフレーム２０の制御部２１の処理を示すフローチャートである。図８は、デジタルカメラ１１の制御部１１の処理を示すフローチャートである。図４、図５と同じ処理には同じ符号を付し、説明を援用する。図７に示すように、フォトフレーム２０の制御部２１は、画像選択画面の表示数分（ここでは４つ）の画像データをＨＤＭＩ経由で送信するように、ＣＥＣラインを介してデジタルカメラ１０に要求を送信する（Ｓ１２３）。
【００４０】
図８に示すようにデジタルカメラ１０の制御部１１はＣＥＣラインを介して、画像選択画面の表示数分の画像データの送信要求を受信したか否かを判断する（Ｓ２２２）。受信した場合、制御部１１は、メモリ１２及び／又は外部メモリに記憶されている複数の画像ファイルの中から（例えばファイル名の昇順に）画像ファイルを表示数分選択する。制御部１１は、選択した表示数分の画像ファイルを再生部１５に再生させ、図６の画像選択画面における４つの画像の配置で画像データを結合した画像データを生成し、ＨＤＭＩ送信部１６にＨＤＭＩデータに変換させ、ＨＤＭＩ出力端子１９ａからＨＤＭＩデータを出力させる（Ｓ２２３）。詳細には、結合した画像データには、選択した画像データの順番と、図６に示す画像の番号の位置とが一致する配置で個別の画像データが描画される。
【００４１】
図７に示すように、フォトフレーム２０の制御部２１は、ＨＤＭＩデータを受信すると、受信したＨＤＭＩデータから変換された画像データを使用して、図６に示す画像選択画面を生成し、表示部２５に表示させる（Ｓ１２４）。
【００４２】
ユーザは、図６の画像選択画面に表示された４つの画像を見て、この画像の画像ファイルをデジタルカメラから受信してフォトフレーム２０のメモリに保存するかを検討する。フォトフレーム２０への保存を希望する場合には、操作部２６を操作して画像選択画面のボタン３４ａ〜３４ｄを操作する。
【００４３】
制御部２１は、４つの画像の中からいずれかの画像に対応するボタン３４ａ〜３４ｄがユーザ操作によって操作されたか否かを判断する（Ｓ１０５）。操作された場合（Ｓ１０５でＹＥＳ）、制御部２１は、選択された画像の画像ファイルを転送するように選択する指示（コピー対象フラグ）を、ＣＥＣラインを経由して、デジタルカメラ１０の制御部１１に送信する（Ｓ１２６）。このとき、選択された画像に対応する番号（図６の画像選択画面において画像の位置に付されている番号）があわせて送信される。一方、選択されない場合（Ｓ１０５でＮＯ）、つまり、ボタン３４が操作されない場合、処理は、Ｓ１０７に進む。
【００４４】
図８に示すように、デジタルカメラ１０の制御部１１は、ＣＥＣラインを介して、選択された画像の画像ファイルを転送するように選択する指示（コピー対象フラグ）と、選択された画像の番号とを受信したか否かを判断する（Ｓ２０４）。受信した場合（Ｓ２０４でＹＥＳ）、制御部１１は、現在再生し、ＨＤＭＩデータとして出力している４つの画像ファイルの中から、受信した番号で特定される画像ファイルに関して、図２のフラグ管理テーブルにおいてコピー対象フラグを「ＯＮ」に設定する（Ｓ２２５）。例えば、番号が３である場合には、現在再生している４つの画像ファイルのうち３番目の画像ファイルについて、コピー対象フラグが「ＯＮ」に設定される。一方、受信しない場合（２０４でＮＯ）、処理はＳ２０６に進む。その他の処理は、先の実施形態と同様であるので、説明を援用する。
【００４５】
以上、本発明の好ましい実施形態を説明したが、本発明はこれらの実施形態には限定されない。
【産業上の利用可能性】
【００４６】
本発明は、デジタルカメラ及びフォトフレーム等に好適に採用され得る。なお、デジタルカメラの代わりに携帯電話やデジタルビデオカメラが採用されてもよく、フォトフレームの代わりに液晶ＴＶ等が採用されても良い。
【符号の説明】
【００４７】
１０          デジタルカメラ
１１          制御部
１２          メモリ
１３          撮影部
１４          メモリスロット
１５          再生部
１６          ＨＤＭＩ送信部
１７          表示部
１８          操作部
１９ａ        ＨＤＭＩ出力端子
１９ｂ        ＵＳＢ端子
２０          フォトフレーム
２１          制御部
２２          メモリ
２３          メモリスロット
２４          ＨＤＭＩ受信部
２５          表示部
２６          操作部
２７ａ        ＨＤＭＩ入力端子
２７ｂ        ＵＳＢ端子
【図１】
2013068996.tif 000003
【図２】
2013068996.tif 000004
【図３】
2013068996.tif 000005
【図４】
2013068996.tif 000006
【図５】
2013068996.tif 000007
【図６】
2013068996.tif 000008
【図７】
2013068996.tif 000009
【図８】
2013068996.tif 000010